(57)【要約】      （修正有）【課題】安価で軽量であって寿命が尽きた後に廃棄しやすいブラシを提供する。【解決手段】ブラシは、ブラシ毛１０１，１０２，１０３，１０４と、ブラシ毛を固定する固定部２０１，２０２，２０３，２０４と、固定部と連結しており人が持つ又は機械に取り付けられる部分である取付部３０１，３０２，３０３とを備えており、ブラシ毛の素材には紙が含まれており、固定部および取付部の少なくとも一方の素材には紙が含まれている。【選択図】図１
2014113405.tif 000002
【特許請求の範囲】
【請求項１】
ブラシ毛と、ブラシ毛を固定する固定部と、前記固定部と連結しており人が持つ又は機械に取り付けられる部分である取付部とを備えたブラシであって、
前記ブラシ毛の素材には紙が含まれており、
前記固定部および前記取付部の少なくとも一方の素材には紙が含まれている、ブラシ。
【請求項２】
前記取付部は、紙と紙以外の素材とからなっている、請求項１に記載されているブラシ。
【請求項３】
前記固定部は、紙と紙以外の素材とからなっている、請求項１又は２に記載されているブラシ。
【請求項４】
前記紙以外の素材には、金属、樹脂、木材、ゴム、石および布から選ばれた少なくとも一種類が含まれている、請求項１から３のいずれか一つに記載されているブラシ。
【請求項５】
前記固定部および前記取付部の紙が含まれている部分は樹脂によるコーティングがなされている、請求項１から４のいずれか一つに記載されているブラシ。
【請求項６】
複数本の前記ブラシ毛の少なくとも一部は、紙、または紙と他の素材との混合物とからなっている、請求項１から５のいずれか一つに記載されているブラシ。
【発明の詳細な説明】
【技術分野】
【０００１】
本発明はブラシに関し、特にブラシ毛の素材に紙が含まれているブラシに関するものである。
【背景技術】
【０００２】
もともとブラシは動物の毛や植物繊維を固定部材に固定したものから始まっているが、研磨や研削などの工業用途に使用されるようになって、ブラシの毛の素材として合成樹脂や金属が広く使われるようになってきている。
【０００３】
けれども、コストの点や地球資源の保護という観点から、本願発明者らはブラシ毛の素材として紙を用いることを考え、紙製のブラシ毛からなるブラシを開発してきた（特許文献１乃至５）。
【先行技術文献】
【特許文献】
【０００４】
【特許文献１】特開２０１１−１８８９９７号公報
【特許文献２】特開２０１１−１８９４６１号公報
【特許文献３】特開２０１１−２３９９２７号公報
【特許文献４】特開２０１１−２３９９２８号公報
【特許文献５】特開２０１１−２３９９２９号公報
【発明の概要】
【発明が解決しようとする課題】
【０００５】
紙は安価であり、木や草などから作られるため地球資源を無駄に使い尽くすことがないという利点があるが、水に弱く、強度も小さいというイメージがあるため、ブラシ毛の素材として使うことはこれまで誰も考えなかったところを、本願発明者らが初めて紙製のブラシ毛からなるブラシを開発したものである。
【０００６】
ここで、紙製のブラシ毛からなるブラシを使用したところ、ブラシ毛の摩耗・損傷によりブラシ寿命が尽きてブラシを廃棄することになったときに、ブラシ毛以外のブラシの部分は主に金属製であるため紙以外の不燃廃棄物が大量に発生することとなった。また、金属製の部材は重いため、取り扱いが不便であった。
【０００７】
本発明は、かかる点に鑑みてなされたものであり、その目的とするところは、安価で軽量であって寿命が尽きた後に廃棄しやすいブラシを提供することにある。
【課題を解決するための手段】
【０００８】
上述の課題を解決するために、本発明のブラシは、ブラシ毛と、ブラシ毛を固定する固定部と、前記固定部と連結しており人が持つ又は機械に取り付けられる部分である取付部とを備え、前記ブラシ毛の素材には紙が含まれており、前記固定部および前記取付部の少なくとも一方の素材には紙が含まれている構成を備えている。
【０００９】
前記取付部は、紙と紙以外の素材とからなっていてもよい。
【００１０】
前記固定部は、紙と紙以外の素材とからなっていてもよい。
【００１１】
前記紙以外の素材には、金属、樹脂、木材、ゴム、石および布から選ばれた少なくとも一種類が含まれていることが好ましい。
【００１２】
前記固定部および前記取付部の紙が含まれている部分は樹脂によるコーティングがなされていてもよい。
【００１３】
複数本の前記ブラシ毛の少なくとも一部は、紙、または紙と他の素材との混合物とからなっていてもよい。
【発明の効果】
【００１４】
本発明のブラシは、ブラシ毛の素材に紙が含まれており、固定部と取付部の少なくとも一方の素材にも紙が含まれているので、安価で軽量であり、廃棄もしやすい。
【図面の簡単な説明】
【００１５】
【図１】（Ａ）はセグメントブラシ、（Ｂ）は筒型ブラシ、（Ｃ）は傘型ブラシ、（Ｄ）は平型ブラシの模式的な斜視図である。
【図２】（Ａ）はカップブラシ、（Ｂ）はホイールブラシ、（Ｃ）はロールブラシ、（Ｄ）は捻りブラシの模式的な斜視図である。
【図３】実施形態に係るセグメントブラシの固定部と取付部の図である。
【図４】実施形態に係るセグメントブラシの別の固定部と取付部の図である。
【図５】実施形態に係る筒型ブラシの固定部と取付部の図である。
【図６】実施形態に係るホイールブラシの固定部と取付部の図である。
【図７】実施形態に係るコイルブラシの固定部と取付部の図である。
【図８】実施形態に係るロールブラシの固定部と取付部の図である。
【図９】実施形態に係る捻りブラシの取付部の図である。
【発明を実施するための形態】
【００１６】
以下、本発明の実施形態を図面に基づいて詳細に説明する。以下の図面においては、説明の簡潔化のため、実質的に同一の機能を有する構成要素を同一の参照符号で示す。
【００１７】
（実施形態１）
図１（Ａ）は実施形態１に係るセグメントブラシを示す図である。ブラシ毛１０１は紙を素材として含んでいる。複数のブラシ毛１０１を束ねて固定部２０１によって固定してブラシとしている。ブラシ毛１０１は固定部２０１以外に２箇所で束ねられている。なお、このブラシを研磨・研削機械に取り付ける際には固定部２０１が機械に取り付けられるので、本実施形態のセグメントブラシでは固定部２０１が取付部を兼用している。
【００１８】
紙を素材とするブラシ毛１０１は、例えば特許文献１、２に記載されているように、和紙、洋紙、厚紙、リサイクル用紙等から用途によって選ばれた薄い紙製シートから作製される。この紙製シートは一端から丸められ、丸い棒状体１２となり、さらに捻じられて、その後これらを縒ることにより、捻じり縒り紙製ブラシ毛が作製される。
【００１９】
固定部２０１は図３に示すように、有底円筒形の紙からなる部材である。従来はこの固定部が金属製であったため、コスト高であり重量が大きく取り扱い難かった。また、廃棄時も不燃物とする必要があり、廃棄費用が多くかかっていた。とくに研磨や研削等の作業において、従来の金属製や合成樹脂製のブラシ毛を金属製の固定部で固定したブラシでは強度や寿命がオーバースペックである作業用途があるにもかかわらず、従来のブラシが使用されてきた。けれども本実施形態のブラシを用いれば、必要とされる強度や寿命を十分に満足させ且つコストも低く抑えられる。使用後も可燃物として廃棄できる。
【００２０】
図４に示されているのは、本実施形態の変形例１に係るセグメントブラシの固定部２１１である。この固定部２１１は、底の部分に鉄板１０が設置されており、それ以外は紙によってできている。この固定部２１１を用いて作製されるブラシは、ブラシを磁力によって取り付ける機械に使用することができる。
【００２１】
図１（Ｂ）は実施形態１に係る筒型ブラシを示す図である。上述のセグメントブラシと同様にブラシ毛１０２が紙を素材として含んでおり、例えば紙製シートから作製されている。このような複数のブラシ毛１０２を束ねて固定部２０２によって固定してブラシとしている。また、固定部２０２には機械に取り付けられる取付部３０１が連結されている。
【００２２】
図５（Ａ）に示すように、固定部２０２は有底の略円筒形であり、ブラシ毛１０２を束ねるとブラシ毛１０２を押さえつけている部分がやや先細のテーパ状になる。取付部３０１は固定部２０２の底部外面に取り付けられており、固定部２０２よりも小径の円筒形である。これら固定部２０２と取付部３０１とは紙からなっている。また、図５（Ｂ）に示すように、固定部２１２の底部分に鉄部材１１を設置して、ブラシを磁力によって取り付ける機械に使用できるようにしてもよい。また、鉄部材を取付部３０１の内部にまで入れてもよく、この場合は機械でブラシを駆動する際の駆動に対するブラシの強度を大きく確保することができる。
【００２３】
図１（Ｃ）は実施形態１に係る傘型ブラシを示す図である。上述のセグメントブラシと同様にブラシ毛１０３が紙を素材として含んでおり、例えば紙製シートから作製されている。このような複数のブラシ毛１０３を束ねて固定部２０３によって固定してブラシとしている。また、固定部２０３には機械に取り付けられる取付部３０２が連結されている。固定部２０３と取付部３０２は、上述の筒型ブラシの固定部２０２及び取付部３０１と同じ形状及び構造・材料構成であり、筒型ブラシと同等の効果を奏する。
【００２４】
図１（Ｄ）は実施形態１に係る平型ブラシを示す図である。上述のセグメントブラシと同様にブラシ毛１０４が紙を素材として含んでおり、例えば紙製シートから作製されている。このような複数のブラシ毛１０４を束ねて固定部２０４によって固定してブラシとしている。また、固定部２０４には機械に取り付けられる取付部３０３が連結されている。固定部２０４と取付部３０３は、上述の筒型ブラシの固定部２０２及び取付部３０１と同じ形状及び構造・材料構成であり、筒型ブラシと同等の効果を奏する。
【００２５】
図２（Ａ）は実施形態１に係るカップブラシを示す図である。上述のセグメントブラシと同様にブラシ毛１０５が紙を素材として含んでおり、例えば紙製シートから作製されている。このような複数のブラシ毛１０５を束ねて固定部２０５によって固定してブラシとしている。また、固定部２０５には機械に取り付けられる取付部３０４が連結されている。固定部２０５は紙製の円板形状の部材であり、円板の周の近辺部分にブラシ毛１０５を円板に対して垂直に固定している。取付部３０４は紙製の円筒形の部材である。なお、取付部３０４の紙製円筒の内面側に鉄製の円筒部材を嵌め込んでもよく、この場合はブラシを磁力によって機械に固定できるようになると共に、機械でブラシを駆動する際の駆動に対するブラシの強度を大きく確保することができる。
【００２６】
図２（Ｂ）は実施形態１に係るホイールブラシを示す図である。上述のセグメントブラシと同様にブラシ毛１０６が紙を素材として含んでおり、例えば紙製シートから作製されている。このような複数のブラシ毛１０６を束ねて固定部２０６によって固定してブラシとしている。また、固定部２０６には機械に取り付けられる取付部３０５が連結されている。固定部２０６は紙製の円板の中央部に穴が開いた形状の部材であり、円板の周部分にブラシ毛１０６を円板と平行に外側方向へ延びるように固定している。取付部３０５は固定部２０６の中央の穴部分に連結されており、紙製であって中央に穴が開いている。なお図６に示すように固定部３１５を鉄製の穴あき円板（ドーナツ状）としてもよい。固定部３１５を鉄製とすることにより、ブラシを磁力によって機械に固定できるようになると共に、機械でブラシを駆動する際の駆動に対するブラシの強度を大きく確保することができる。
【００２７】
図２（Ｃ）は実施形態１に係るロールブラシを示す図である。上述のセグメントブラシと同様にブラシ毛１０７が紙を素材として含んでおり、例えば紙製シートから作製されている。このような複数のブラシ毛１０７を束ねて固定部２０７によって固定してブラシとしている。また、固定部２０７には機械に取り付けられる取付部３０６が連結されている。このロールブラシは、図２（Ｂ）に示すホイールブラシの取付部を取り除いたものを複数使用して作製されている。
【００２８】
取付部３０６は図８（Ａ）に示すように、円筒形且つ底面と上面が円板で塞がれていて、この底面及び上面に小径の円柱形の部材が連結された形状をしている紙からなる部材である。従来はこの固定部及び取付部が金属製であったため、コスト高であり重量が大きく取り扱い難かった。また、廃棄時も不燃物とする必要があり、廃棄費用が多くかかっていた。特にロールブラシは全体が大型になるので、固定部及び取付部が金属製であると全体が非常に重くなり、取り扱いが不便であったが、本実施形態のように固定部及び取付部を紙製とすることによりブラシ全体が軽量となり、取り扱いが容易になる。
【００２９】
また、図８（Ｂ）に示されているのは、変形例２に係るロールブラシの取付部３１６である。この取付部３１６は、小径の円柱部分及び円筒形の両端部分に鉄板１４が設置されており、それ以外は紙によってできている。この取付部３１６を用いて作製されるロールブラシは、ブラシを磁力によって取り付ける機械に使用することができる。
【００３０】
図２（Ｄ）は実施形態１に係る捻りブラシを示す図である。上述のセグメントブラシと同様にブラシ毛１０８が紙を素材として含んでおり、例えば紙製シートから作製されている。このような複数のブラシ毛１０８を２本又は４本の金属線２０８に挟み込み、金属線２０８をねじることによってブラシ毛１０８を固定してブラシとしている。つまり金属線２０８が固定部である。また、金属線２０８には手で持ったり機械に取り付けられる取付部３０７が連結されている。取付部３０７は、図９（Ａ）に示すように紙製の筒であり、従来の金属筒よりも軽量で安価である。図９（Ｂ）に示されているのは、変形例３に係る捻りブラシの取付部３１７である。この取付部３１７は鉄製筒１５の外側に紙製の筒が設けられている。このようにすることにより、鉄の部分を薄くして軽量且つ安価にできると共に、取付部３１７の機械的強度を紙だけからなる場合よりも大きくすることができる。また、磁力により捻りブラシの取付部３１７を固定する機械に使用することができる。
【００３１】
（実施形態２）
実施形態２に係るブラシは、ブラシ毛の一部が動植物製の繊維、合成樹脂及び金属等紙以外の素材からなっている点が実施形態１とは異なっており、それ以外の構成は実施形態１と同じである。
【００３２】
本実施形態においては、紙以外の素材からなるブラシ毛と紙を主たる素材とするブラシ毛とがそれぞれ独立して存していて両方のブラシ毛を混毛させてブラシとしてもよいし、紙以外の素材と紙とを組み合わせて一本のブラシ毛としてブラシを形成してもよい。紙以外の素材と紙とを組み合わせて一本のブラシ毛とする方法としては、紙以外の素材の周りに紙を巻き付けてブラシ毛とする方法や、逆に紙の周りに紙以外の素材を巻き付けたり、紙と紙以外の素材とを貼り合わせたりする方法、あるいは、棒状（毛状）にした紙と紙以外の素材とを互いに捻り合わせたり編んだりしたりする方法が挙げられる。なおこれら以外の方法で、紙以外の素材と紙とを組み合わせて一本のブラシ毛としても構わない。紙以外の素材は１種類であってもよいし、複数の種類を用いてもよい。
【００３３】
本実施形態は、実施形態１の効果を奏するのに加えて、ブラシ毛の一部となっている動植物製の繊維、合成樹脂及び金属のブラシとしての効果を得ることができる。
【００３４】
（実施形態３）
実施形態３に係るブラシは、固定部及び取付部の少なくとも一方が樹脂で覆われている点が実施形態１とは異なっており、それ以外の構成は実施形態１と同じである。
【００３５】
本実施形態に係るブラシは、例えば図１（Ｂ）に示す筒型ブラシにおいて、固定部２０２及び取付部３０１の表面が樹脂コーティングされていることによって、樹脂で覆われているブラシである。樹脂の種類は特に限定されないが、耐水性及び耐油性の少なくとも一方の性質を有している樹脂が好ましい。例えば、ポリオレフィン、ポリエステル、ナイロン、フッ素系樹脂等を好ましい樹脂として挙げることができる。
【００３６】
このような樹脂に覆われていると、ブラシの使用時に水や油がブラシにかかることがあっても固定部や取付部の機械的強度が低下することがない。なお、樹脂製フィルムを固定部や取付部の表面に貼り合わせることによって樹脂コーティングとしてもよい。
【００３７】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。また、それぞれの実施形態の特徴同士を組み合わせても構わない。
【００３８】
上述の実施形態において例えば、紙製のブラシ毛の先端部近傍に接着剤が染み込まされて尖った形状や球状に成形されていてもよい。これにより先端が硬くて任意の形状のブラシ毛を得ることができる。また、紙製シートにシリコンカーバイト、アルミナ、ジルコニア、ダイアモンド、エメリー、酸化セリウム、金属等のうちの少なくとも一種類の砥粒がペースト状接着剤により接着されていて、この紙製シートからブラシ毛を形成してもよい。あるいは、予め前述の砥粒を抄き混んだ紙製シートを用いてブラシ毛を形成してもよい。あるいは、特許文献５に記載されている、紙材を所定の大きさに切り裂く工程と、この切り裂かれた紙材に接着剤および／または砥粒を加える工程と、接着剤および／または砥粒が加えられた紙材を成形して棒状体、またはシートを作製する工程を有する方法で形成された紙製の素材を用いてブラシ毛を形成してもよいし、さらに前述の砥粒をこの素材に含有させてもよい。
【００３９】
固定部や取付部に使用する紙以外の素材を使用する位置は、上述の実施形態での使用位置に限定されない。例えば、図４に示される固定部２１１において、鉄板１０は図３に示す固定部２０１の底の外面側に貼り付けられていてもよい。図５から図９においても紙以外の素材に求められる機能を発揮できるのであれば、その使用位置はどの位置でも構わない。
【００４０】
上述の種類以外のブラシにおいて、固定部や取付部の少なくとも一部を紙製としてもよい。例えば図７（Ａ）に示すコイルブラシの固定部２０９を紙製の円筒としてもよい。この場合、取付部３０８は固定部２０９の内壁部分となる。また、図７（Ｂ）に示すように、コイルブラシの固定部２１９を、鉄製筒１３の外側に紙製の筒が設けられている部材としてもよく、この場合、取付部３１８は鉄製筒１３の内壁部分となる。
【００４１】
今まで説明したブラシにおいて、固定部や取付部に鉄が用いられている部分を鉄に代えて樹脂、木材、ゴム、石及び布の少なくとも一種類としてもよい。あるいは、ブラシの機械的な強度を上げるために、全体が紙からなる固定部や取付部の一部を、金属、樹脂、木材、ゴム、石及び布の少なくとも一種類としてもよい。
【産業上の利用可能性】
【００４２】
以上説明したように、本発明に係るブラシは、軽量で安価であり、研磨や研削用途等として有用である。
【符号の説明】
【００４３】
１０１          ブラシ毛
１０２          ブラシ毛
１０３          ブラシ毛
１０４          ブラシ毛
１０５          ブラシ毛
１０６          ブラシ毛
１０７          ブラシ毛
１０８          ブラシ毛
２０１         固定部
２０２         固定部
２０３         固定部
２０４         固定部
２０５         固定部
２０７         固定部
２０８         金属線（固定部）
２１１         固定部
２１２         固定部
２１７         固定部
２１９         固定部
３０１          取付部
３０２          取付部
３０３          取付部
３０４          取付部
３０５          取付部
３０６          取付部
３０７          取付部
３０８          取付部
３１５          取付部
３１６          取付部
３１７          取付部
３１８          取付部
【図１】
2014113405.tif 000003
【図２】
2014113405.tif 000004
【図３】
2014113405.tif 000005
【図４】
2014113405.tif 000006
【図５】
2014113405.tif 000007
【図６】
2014113405.tif 000008
【図７】
2014113405.tif 000009
【図８】
2014113405.tif 000010
【図９】
2014113405.tif 000011